【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】  通信システムにおいて、
符号化されかつスペクトル拡散された受信信号を受信サンプルに変換する；
パイロット信号サンプルの第１の組に基づいて、第1のチャネル推定を決定する、ここで上記パイロット信号サンプルの第1の組は上記受信サンプルに含まれている；
復号化された受信サンプルを生成するために、上記第1のチャネル推定にしたがって上記受信サンプルを相関付けしかつ復号化する；
再符号化されかつ再拡散されたサンプルを生成するために、上記復号化された受信サンプルを再符号化しかつ再拡散する；
チャネル変更されている再符号化されかつ再拡散されたサンプルを生成するために、上記第1のチャネル推定に基づいて、上記再符号化されかつ再拡散されたサンプルを変更する、ここで、上記変更することは、上記チャネル変更されている再符号化されかつ再拡散されたサンプルを生成するために、上記再符号化されかつ再拡散されたサンプルと上記第1のチャネル推定の掛け算を含む；
を具備する方法。
【請求項２】  受信サンプルの新たな組を生成するために、上記チャネル変更されている再符号化されかつ再拡散されたサンプルを使用することにより、上記受信サンプルの干渉排除を実行する、をさらに具備する請求項１に記載された方法。
【請求項３】  パイロット信号の第２の組に基づいて第２のチャネル推定を決定する、ここで、上記パイロット信号の第２の組は上記受信サンプルの新たな組に含まれている；
新たに復号化された受信サンプルを生成するために、上記第２のチャネル推定にしたがって上記新たな受信サンプルを相関付けしかつ復号化する；
をさらに具備する請求項２に記載された方法。
【請求項４】  新たに再符号化されかつ再拡散されたサンプルを生成するために、上記新たな復号化された受信サンプルを再符号化しかつ再拡散する；
新たにチャネル変更されている再符号化されかつ再拡散されたサンプルを生成するために、上記第２のチャネル推定に基づいて、上記新たな再符号化されかつ再拡散されたサンプルを変更する；
をさらに具備する請求項３に記載された方法。
【請求項５】  上記変更することが、上記新たにチャネル変更されている再符号化されかつ再拡散されたサンプルを生成するために、上記新たな再符号化されかつ再拡散されたサンプルと上記第２のチャネル推定の掛け算を含む、請求項４に記載された方法。
【請求項６】  他の一つの受信サンプルの新たな組を生成するために、上記新たなチャネル変更されている再符号化されかつ再拡散されたサンプルを使うことにより、上記受信サンプルの新たな組の干渉排除を実行する、をさらに具備する請求項４に記載された方法。
【請求項７】  上記受信サンプルの上記復号化することが、ターボ復号化プロセスにしたがって実行される、請求項１に記載された方法。
【請求項８】  上記新たな受信サンプルの上記復号化することが、ターボ復号化プロセスにしたがって実行される、請求項３に記載された方法。
【請求項９】  上記受信サンプルの上記復号化することが、畳み込み復号化プロセスにしたがって実行される、請求項１に記載された方法。
【請求項１０】  上記新たな受信サンプルの上記復号化することが、畳み込み復号化プロセスにしたがって実行される、請求項３に記載された方法。
【請求項１１】  上記受信サンプルを上記復号化した結果の周期的冗長性検査が通過するかどうかを決定する；
ここで、上記受信サンプルの上記干渉排除を実行することが、上記周期的冗長性検査が通過するかどうかに基づいている；
をさらに具備する請求項２に記載された方法。
【請求項１２】  上記新たな受信サンプルを上記復号化した結果の周期的冗長性検査が通過するかどうかを決定する；
ここで、上記受信サンプルの新たな組の上記干渉排除を実行することが、上記周期的冗長性検査が通過するかどうかに基づいている；
をさらに具備する請求項６に記載された方法。
【請求項１３】  上記パイロット信号サンプルの第１の組が、上記受信信号のソースから送信されたパイロット信号に基づいている、請求項１に記載された方法。
【請求項１４】  上記受信サンプルの新たな組の上記復号化の支援に上記受信サンプルの上記復号化の結果を利用する、をさらに具備する請求項３に記載された方法。
【請求項１５】  通信システムにおいて
符号化されかつスペクトル拡散された受信信号を受信サンプルに変換するための高周波受信機；
パイロット信号サンプルの組に基づいてチャネル推定を決定するためにフィンガー エレメントと組み合わされているサーチャ、ここで上記パイロット信号サンプルの組は上記受信サンプルに含まれている；
復号化された受信サンプルを生成するために、上記チャネル推定にしたがって上記受信サンプルを復号化するためのデコーダ；
再符号化されかつ再拡散されたサンプルを生成するために上記復号化された受信サンプルを再符号化しかつ再拡散するための、およびチャネル変更されている再符号化されかつ再拡散されたサンプルを生成するために上記チャネル推定に基づいて上記再符号化されかつ再拡散されたサンプルを変更するためのコントローラ、ここで、上記コントローラは、上記チャネル変更されている再符号化されかつ再拡散されたサンプルを生成するために上記再符号化されかつ再拡散されたサンプルと上記第１のチャネル推定の掛け算により上記変更を実行する；
を具備する装置。
【請求項１６】  通信システムにおいて
符号化されかつスペクトル拡散された受信信号を受信サンプルに変換するための高周波受信機；
パイロット信号サンプルの組に基づいてチャネル推定を決定するためにフィンガー エレメントと組み合わされているサーチャ、ここで上記パイロット信号サンプルの組は上記受信サンプルに含まれている；
復号化された受信サンプルを生成するために、上記チャネル推定にしたがって上記受信サンプルを復号化するためのデコーダ；
再符号化されかつ再拡散されたサンプルを生成するために上記復号化された受信サンプルを再符号化しかつ再拡散するための、およびチャネル変更されている再符号化されかつ再拡散されたサンプルを生成するために上記チャネル推定に基づいて上記再符号化されかつ再拡散されたサンプルを変更するためのコントローラ、ここで、上記コントローラが、受信サンプルの新たな組を生成するために、上記チャネル変更されている再符号化されかつ再拡散されたサンプルを使用することにより上記受信サンプルの干渉排除を実行する、
を具備する装置。
【請求項１７】  上記フィンガー エレメントと組み合わせられた上記サーチャは、パイロット信号サンプルの第２の組に基づいて第２のチャネル推定を決定する、ここで上記パイロット信号サンプルの第２の組は上記受信サンプルの新たな組に含まれている、および上記デコーダは、新たに復号化された受信サンプルを生成するために上記第２のチャネル推定にしたがって上記受信サンプルの新たな組を復号化する、を具備する請求項１６に記載された装置。
【請求項１８】  上記コントローラは、新たに再符号化されかつ再拡散されたサンプルを生成するために上記新たな復号化された受信サンプルを再符号化しかつ再拡散する、および新たにチャネル変更されている再符号化されかつ再拡散されたサンプルを生成するために上記第２のチャネル推定に基づいて上記新たな再符号化されかつ再拡散されたサンプルを変更する、請求項１７に記載された装置。
【請求項１９】  上記コントローラは、他の一つの受信サンプルの新たな組を生成するために、上記新たなチャネル変更されている再符号化されかつ再拡散されたサンプルを使用して上記受信サンプルの新たな組の干渉排除を実行する、請求項１８に記載された装置。
【請求項２０】  上記受信サンプルを復号化する上記デコーダが、ターボ復号化プロセスにしたがっている、請求項１５に記載された装置。
【請求項２１】  上記受信サンプルを復号化する上記デコーダが、畳み込み復号化プロセスにしたがっている、請求項１５に記載された装置。
【請求項２２】  上記コントローラが、上記新たな受信サンプルの上記復号化した結果の周期的冗長性検査が通過するかどうかを決定する、およびここで上記干渉排除が上記周期的冗長性検査を通過するかどうかに基づいている、請求項１９に記載された装置。